(57)【要約】【課題】本発明は各種通信機器に用いられるＴＥモード共振器の調整方法に関するもので、ＴＥモード共振器の周波数特性を向上させることを目的とする。【解決手段】特にアース筐体１の内周面に誘電体素子３が接合部材４により接続されたＴＥモード共振器において、誘電体素子３とアース筐体１の接合部材４による接続面積を調節することで、不要共振モードにおける共振周波数を調節し、ＴＥモード共振器の周波数特性を向上させることが出来るのである。【選択図】  図１
2004254104.tif 000002
【特許請求の範囲】
【請求項１】
アース筐体と、このアース筐体の内周面に少なくとも１側面が接合部材により接続された柱状の誘電体素子とを備えたＴＥモード共振器において、前記誘電体素子の前記アース筐体の前記接合部材による接続面積を調節することで前記ＴＥモード共振器に内在する不要共振モードにおける共振周波数を調節することを特徴とするＴＥモード共振器の調整方法。
【請求項２】
誘電体素子におけるアース筐体との接続面に突出部を設け、この突出部の主面を前記アース筐体に接続するとともに、前記突出部の主面の面積を調節することを特徴とする請求項１に記載のＴＥモード共振器の調整方法。
【請求項３】
突出部の突出量を調節することで、ＴＥモード共振器の共振周波数を調節することを特徴とした請求項２に記載のＴＥモード共振器の調整方法。
【請求項４】
突出部により形成された誘電体素子とアース筐体間に導電性金属片を介在させＴＥモード共振器の共振周波数を調節することを特徴とした請求項２に記載のＴＥモード共振器の調整方法。
【請求項５】
誘電体素子の形状を角柱状としたことを特徴とする請求項１に記載のＴＥモード共振器の調整方法。
【請求項６】
誘電体素子の側面において表面積が一番大きい側面に対してアース電位にある金属板を対向配置し、この金属板を前記誘電体素子の方向に摺動させることを特徴とした請求項５に記載のＴＥモード共振器の調整方法。
【発明の詳細な説明】
【０００１】
【発明の属する技術分野】
本発明は、各種通信機器に用いられるＴＥモード共振器の調整方法に関する。
【０００２】
【従来の技術】
一般に、携帯電話の基地局などに用いられる高周波フィルタを形成する共振器は、図５に示されるようにアース筐体１内に台座２を設置し、その上に円柱状の誘電体素子３を載せた構造のものが知られており、誘電体素子３のＴＥモード共振を利用している。
【０００３】
そして、このような共振器を小型化するにおいては、従来、図６に示されるような円柱状の誘電体素子３を半分に切断した半円柱形状のものをアース筐体１の内周面に実装するといった構造を用いて共振器を小型化させることが知られている。
【０００４】
なお、この出願の発明に関連する先行技術文献情報としては、例えば、特許文献１が知られている。
【０００５】
【特許文献１】
特開昭５７−１４２０１号公報
【０００６】
【発明が解決しようとする課題】
しかしながら、半円柱形状とした誘電体素子３をアース筐体１の内周面に当接させることで、本来得ようとするＴＥモード共振以外にＴＭモード共振などの不要な共振が生じてしまい、共振器としての周波数特性を劣化させていた。
【０００７】
そこで、本発明はこのような課題を解決し、ＴＥモード共振器の周波数特性を向上させることを目的とする。
【０００８】
【課題を解決するための手段】
そして、この目的を達成するために本発明の請求項１に記載の発明は、特にアース筐体の内周面に誘電体素子が接合部材により接続されたＴＥモード共振器において、誘電体素子とアース筐体の接合部材による接続面積を調節することで、不要共振モードにおける共振周波数を調節し、ＴＥモード共振器の周波数特性を向上させることが出来るのである。
【０００９】
請求項２に記載の発明は、特に誘電体素子に突出部を設けてアース筐体と接続させ、その接続面となる突出部の主面の面積を調節することで、不要共振モードにおける共振周波数を調節できるとともに、誘電体素子とアース筐体の接続に要し誘電体素子のＱ値の低下を招く接合部材を低減でき、さらにＴＥモード共振器の周波数特性を向上させることが出来るのである。
【００１０】
請求項３に記載の発明は、特に突出部の突出量を調節することで、ＴＥモードにおける大幅な周波数調整が容易に出来るのである。
【００１１】
請求項４に記載の発明は、特に突出部により形成された誘電体素子とアース筐体間に導電性金属片を介在させることで、ＴＥモードにおける大幅な周波数調整が容易に出来るのである。
【００１２】
請求項５に記載の発明は、特に誘電体素子の形状を角柱状としたことで、誘電体素子を形成する誘電体材料をアース筐体内で効率よく増加させることができ、ＴＥモードにおけるＱ値を向上させることが出来るのである。
【００１３】
請求項６に記載の発明は、特に誘電体素子の側面において表面積が一番大きい側面に対してアース電位にある金属板を対向配置し、この金属板を誘電体素子の方向に摺動させることで、ＴＥモードにおける小幅な周波数調整が容易に出来るのである。
【００１４】
【発明の実施の形態】
以下、本発明の一実施形態について図面を用いて説明する。なお、前述した従来の技術と同様の構成については同じ符号を付して説明する。
【００１５】
図１は携帯電話用の基地局などの各種通信機器に用いられるＴＥモード共振器を示したもので入出力プローブ（特に図示せず）を有する矩形箱状のアース筐体１の内部に誘電体セラミッグから成る角柱状の誘電体素子３が配置されたもので、斯くある共振モードの中でＴＥモード（ＴＥ０１δモード）を用いた周波数特性を利用するものである。
【００１６】
そして、このＴＥモード共振器においては従来の技術で述べたように、誘電体素子３をアース筐体１に当接させることで、図２に示す如く本来得ようとするＴＥモード共振（Ｆ０は基本となる共振周波数、Ｆ１・Ｆ２はＦ０の高調波成分）以外にＴＭモード共振などの不要な共振（Ｔ１，Ｔ２）が生じてしまい、この不要な共振がＴＥモードの共振周波数Ｆ０と近接することで、ＴＥモード共振器の周波数特性が低下してしまうこととなる。
【００１７】
そこで、この一実施形態のＴＥモード共振器においては、基本となる共振Ｆ０に近接する不要な共振Ｔ１の共振周波数を調整することで、ＴＥモード共振器の周波数特性を向上させるのである。
【００１８】
すなわち、この不要な共振はＴＭモードによるものであり、誘電体素子３とアース筐体１がハンダや導電性接着剤などの接合部材４により電気的及び機械的に接続されることにより形成されるもので、接合部材４による接続面積により周波数特性が決定されるので、図１に示されるようにアース筐体１に誘電体素子３を接続する接合部材４の量や塗布面積などを調節し接続面積を調節することで、不要共振をおこすＴＭモード共振の共振周波数を調節でき、図２に示すＴＭモード共振Ｔ１をＴＥモード共振Ｆ０から遠ざけられるので、結果としてＴＥモード共振器の周波数特性を向上させることが出来るのである。
【００１９】
実際には、接続面積を低減することで不要な共振Ｔ１は周波数の高い側に移動することから、誘電体素子３の実装面に対して接続面積を減少させればよいのである。なお、接合部材４としては通常ハンダや接着剤などが用いられるのであるが、これらは電気的に抵抗とみなされＴＥモード共振器のＱ特性を劣化させてしまう原因となることから、この接合部材４を低減させることでＱ特性の劣化をも抑制できるのである。
【００２０】
また、誘電体素子３の接続面積を調節するにおいては、先に述べたように接合部材４の塗布面積や塗布量を調節すればよいのであるが、この場合、誘電体素子３の実装時の押圧量など種々の実装条件によって接続面積が変動してしまう恐れが生じる。
【００２１】
そこで、図３に示すように誘電体素子３の実装面に突出部５を設けて、この突出部５の下面全体をアース筐体１の内周面と接続させる構造とすれば、接続面積は実装条件によらず決定されるので、量産時においてＴＥモード共振器の周波数特性を安定したものと出来るのである。
【００２２】
さらに、突出部５の形成により誘電体素子３とアース筐体１表面との間に空隙６が形成されるので、この空隙６により誘電体素子３の接続面以外の部分は確実にアース筐体１から隔離されるので、単に接合部材４により接続面積の調節したものに比べアース筐体１との接続箇所が明確に区分されることとなり、ＴＥモード共振器の周波数特性をより安定したものと出来るのである。
【００２３】
また、突出部５の突出量を調節することで、ＴＥモード共振器における容量成分を大幅に可変させることが可能となり、大幅な周波数調整が容易に出来るのである。
【００２４】
さらに、突出部５の突出量によって決定された共振周波数が高くなりすぎた場合においては、突出部５により形成された空隙６部分に導電性金属片（特に図示せず）を介在させることでも、ＴＥモード共振器における容量成分を大きくさせることが可能となり、共振周波数を下げる方向での周波数調整が容易に出来るのである。なお、導電性金属片（特に図示せず）を挿入せずとも突出部５の間におけるアース筐体に金属ネジ（特に図示せず）を取り付け、この金属ネジを摺動させることでも同様の効果が得られる。
【００２５】
また、誘電体素子３の形状を角柱状としたことで、誘電体素子３を形成する誘電体材料をアース筐体１の内部空間内で効率よく増加させることができ、ＴＥモード共振器におけるＱ値を向上させることが出来るのである。
【００２６】
さらに、このようなＴＥモード共振器においては、図４に示すように誘電体素子３の側面において表面積が一番大きい側面に対してアース電位にある金属板７を対向配置し、この金属板７を矢印で示す誘電体素子３との対向する方向に摺動させることで、ＴＥモードにおける小幅な周波数調整が容易に出来るのである。
【００２７】
【発明の効果】
以上のように本発明によれば、特にアース筐体の内周面に誘電体素子が接合部材により接続されたＴＥモード共振器において、誘電体素子とアース筐体の接合部材による接続面積を調節することで、不要共振モードにおける共振周波数を調節し、ＴＥモード共振器の周波数特性を向上させることが出来るのである。
【図面の簡単な説明】
【図１】本発明の一実施形態におけるＴＥモード共振器の斜視図
【図２】同ＴＥモード共振器の周波数特性を示す特性図
【図３】他の実施形態におけるＴＥモード共振器の斜視図
【図４】同ＴＥモード共振器の周波数調整方法を示す断面図
【図５】従来のＴＥモード共振器を示す断面図
【図６】従来の他のＴＥモード共振器を示す断面図
【符号の説明】
１  アース筐体
３  誘電体素子
４  接合部材
５  突出部
７  金属板
【図１】
2004254104.tif 000003
【図２】
2004254104.tif 000004
【図３】
2004254104.tif 000005
【図４】
2004254104.tif 000006
【図５】
2004254104.tif 000007
【図６】
2004254104.tif 000008